(57)【特許請求の範囲】
【請求項１】
便器に、その付属機器類を取付けるための位置決めプレートにおいて、
前記便器における前記付属機器類の取付部位の少なくとも一部を覆うよう形成されたプレート本体と、
前記プレート本体が前記取付部位に載置されたとき、このプレート本体上において所定位置に位置決めされる前記付属機器類の底部外縁部の少なくとも一部に一致するよう、前記プレート本体に記されたマーカと、
前記プレート本体が前記取付部位に載置されたとき、前記プレート本体の、前記取付部位における付属機器類固定用の締結具挿通孔に一致する位置に設けられた締結具貫通用の穴から前記プレート本体の外縁まで延びるプレート抜取り時に締結具を通過させるための溝と、
を備え、
前記プレート本体は、前記付属機器類を梱包するための梱包箱の一部であることを特徴とする位置決めプレート。
【請求項２】
請求項１記載の位置決めプレートにおいて、前記プレート本体は、前記付属機器類を梱包するための梱包箱のフラップであることを特徴とする位置決めプレート。
【請求項３】
請求項１記載の位置決めプレートにおいて、前記プレート本体は、前記梱包箱に収容される前記付属機器類の緩衝材であることを特徴とする位置決めプレート。
【請求項４】
請求項１記載の位置決めプレートにおいて、前記プレート本体は、前記付属機器類の取扱説明書の少なくとも一部であることを特徴とする位置決めプレート。
【請求項５】
便器に、その付属機器類を取付けるための位置決めプレートにおいて、
前記便器における前記付属機器類の取付部位の少なくとも一部を覆うよう形成されたプレート本体と、
前記プレート本体が前記取付部位に載置されたとき、このプレート本体上において所定位置に位置決めされる前記付属機器類の底部外縁部の少なくとも一部に一致するよう、前記プレート本体に記されたマーカと、
前記プレート本体が前記取付部位に載置されたとき、前記プレート本体の、前記取付部位における付属機器類固定用の締結具挿通孔に一致する位置に設けられた締結具貫通用の穴から前記プレート本体の外縁まで延びるプレート抜取り時に締結具を通過させるための溝と、を備え、
前記プレート本体は、前記締結具貫通用の穴が、前記取付部位における付属機器類固定用の締結具挿通孔に嵌合された締結具固定用部材のフランジ部に係合することによって位置決め固定されることを特徴とする位置決めプレート。
【発明の詳細な説明】
【０００１】
【発明の属する技術分野】
本発明は、便器本体に洗浄水タンクや衛生洗浄装置（以下、付属機器類という）を収容したケーシングを設置するに際して用いられる位置決めプレートの改良に関するものである。
【０００２】
【従来の技術】
従来、便器の付属機器類を収容したケーシングの、便器本体への設置作業において、実開平５―３８０７４号公報に示すような方法が知られている。この方法では、ケーシング底面の外縁部と略一致するようマーキングを施した段ボール等の位置決めプレートを、便器後部のケーシング設置位置に設置する過程、マーキングを目標にしてケーシングを設置位置に位置合せしながら位置決めプレート上に設置する過程が実行される。更に、ケーシングの取付固定後に、位置決めプレートを引き裂くようにして便器とケーシングとの間から抜取る過程も実行される。
【０００３】
【発明が解決しようとする課題】
ところで、上記方法では、位置決めプレートをケーシング設置位置に設置する過程において、便器後部に形成された便槽への洗浄水排水口やボルト挿通孔の位置と、これらに夫々対応して位置決めプレートに形成された複数の貫通穴とが一致するよう位置決めプレートが載置される。
【０００４】
しかし、位置決めプレートも、便器後部の上記洗浄水排水口やボルト挿通孔の設置部位も、例えば一方が凹で他方が凸というように形成されておらず、いずれも平坦面になっている。そのため、作業者が相当の重量を有するケーシングを両手で抱えたまま中腰でケーシングの位置決め作業を行っているときにケーシング低部との接触により位置決めプレートが所定位置からずれてしまうおそれがある。
【０００５】
そこで、この位置ずれ防止のため、上述した位置決めプレートの設置過程においては、接着テープ等を用いて位置決めプレートを便器の上記所定位置に仮止めする工程を必要とした。そのため、作業能率が悪く、しかも上記位置決めプレートを抜き取る過程において、抜取りに手間が掛かったり、引き裂かれた位置決めプレートの一部が便器とケーシングとの隙間に残存する虞もあり、作業性が悪かった。
【０００６】
従って本発明の目的は、便器に対する付属機器類の取付作業において、比較的短時間で取付けが行える作業性の良好な位置決めプレートを提供することにある。
【０００７】
【課題を解決するための手段】
本発明では、便器に、その付属機器類を取付けるに際しては、以下のようなマーカや締結具貫通用の穴から延びる溝が構成されたプレート本体から成る位置決めプレートが用いられる。
【０００８】
プレート本体は、便器における付属機器類の取付部位の少なくとも一部を覆うよう形成されており、マーカは、プレート本体が上記取付部位に載置されたとき、プレート本体上において所定位置に位置決めされる付属機器類の底部外縁部の少なくとも一部に一致するようプレート本体に記されている。
【０００９】
更に、溝は、プレート本体が上記取付部位に載置されたとき、プレート本体の、取付部位における付属機器類固定用の締結具挿通孔に一致する位置に設けられた締結具貫通用の穴からプレート本体の外縁まで延びているもので、この溝は、プレート抜取り時に締結具を通過させるよう機能する。よって、位置決めプレートを抜き取る過程において溝が有効に機能するので、抜取りに手間が掛かったり、引き裂かれた位置決めプレートの一部が便器とケーシングとの隙間に残存するような不具合は解消される。
【００１０】
本発明の好適な実施形態では、マーカは、プレート本体の表裏両面のうちの少なくとも一方の面に、付属機器類の底部外縁部のいずれか２つの辺に一致するよう記されている。このようなマーカをプレート本体の表裏両面に記せば、付属機器類の位置合せが容易であるし、プレート本体の表裏いずれかの面を表面にして対応する取付部位に載置するだけで便器後部の左右いずれの側からも付属機器類の位置決め作業が行える。
【００１１】
また、本発明の別の好適な実施形態では、プレート本体は、付属機器類を梱包するための梱包箱の一部であり、具体的には、梱包箱のフラップや梱包箱に収容される付属機器類の緩衝材が用いられる。更には、付属機器類の取扱説明書の少なくとも一部を使用することもできる。このように、梱包箱の一部や取扱説明書等からプレート本体を作成すれば資源の有効利用や低コスト化を図ることもできる。
【００１２】
更に、本発明の別の好適な実施形態では、プレート本体は、締結具貫通用の穴が、取付部位における付属機器類固定用の締結具挿通孔に嵌合された締結具固定用部材のフランジ部に係合することによって位置決め固定される。この場合は、プレート本体を便器における付属機器類の取付部位に載置する過程において、プレート本体を接着テープ等で便器に仮止めする必要はないので、作業性は更に向上する。
【００１３】
【実施の形態】
以下、本発明の実施の形態を、図面により詳細に説明する。
【００１４】
図１は、本発明の一実施形態に係る位置決めプレートと、この位置決めプレートが適用される便器及びその付属機器類を示す。
【００１５】
図１において、便器１の後部３上面には、その略中央に便槽５に連通する円形状の洗浄水排水口７が形成されている。また、後部３上面の後端寄りには、付属機器類を収容したケーシング１７を固定する正六角形状のボルトの挿通孔９、１１が、後部３上面の便槽５寄りには、上記と同様のボルト挿通孔１３、１５が夫々形成されている。この後部３上面に、ケーシング１７が取付固定されるに先立ち、上記位置決めプレート１９が、図のように後部３上面の片側（右側）に載置される。そして、この位置決めプレート１９は、ケーシング１７が後部３上面の所定位置に位置決めされて取付固定された後に抜き取られる。位置決めプレート１９の構成については、以下に詳述する。
【００１６】
図２は、本発明の一実施形態に係る位置決めプレートを示す表面図である。
【００１７】
上記位置決めプレート１９は、プレート本体２１と、プレート本体２１に記されたマーカ２３と、プレート本体２１に形成された切欠き穴２５、２７と、プレート本体２１に設けられた印刷領域２９とを備える。
【００１８】
プレート本体２１は、軟質で可撓性を有した比較的肉厚の薄い材料によってＬ字状に形成されている。プレート本体２１を構成する材料については後述する。
【００１９】
マーカ２３は、位置決めプレート１９が便器３後部上面の取付部位の右側に載置されたとき（図１参照）、プレート本体２１上において所定取付位置に位置決めされるケーシング１７の底部外縁部の右上隅部に一致するようプレート本体２１上に記されている。
【００２０】
切欠き穴２５、２７は、ボルト貫通用の穴２５ａ、２７ａと、溝２５ｂ，２７ｂとから成る。ボルト貫通用の穴２５ａ、２７ａは、位置決めプレート１９が上記取付部位に載置されたとき、プレート本体２１の、取付部位におけるボルト挿通孔９、１３（図１参照）に夫々一致する位置に設けられている。
【００２１】
また、溝２５ｂ、２７ｂは、ボルト貫通用の穴２５ａ、２７ａから夫々プレート本体２１の外縁まで延びており、ケーシング１７が所定取付位置に固定された後の位置決めプレート１９の抜取り時に、ボルト挿通孔９、１３（図１参照）に締結されたボルトを通過させるよう機能する。
【００２２】
印刷領域２９には、ケーシング１７の取付要領（例えば、取付に用いる部品や工具、作業手順等）を示すイラストや説明文が印刷されている。
【００２３】
図３は、本発明の一実施形態に係る位置決めプレートを示す裏面図である。
【００２４】
上記位置決めプレート１９は、プレート本体２１の裏面にもマーカ２８が記されている。このマーカ２８は、位置決めプレート１９が図１に示す便器３後部上面の取付部位の左側に載置されたとき、プレート本体２１上において所定取付位置に位置決めされるケーシング１７の底部外縁部の左上隅部に一致するようプレート本体２１上に記されている。また、印刷領域２９と同様な印刷領域３０も設けられている。
【００２５】
次に、上記構成の位置決めプレート１９を用いたケーシング１７の便器３後部上面への取付作業について図１、２及び図４を参照しながら説明する。
【００２６】
まず、ケーシング１７の底部に、ケーシング１７を便器３に締結するためのボルトを取付け、図１に示した便器３後部上面の各ボルト挿通孔９〜１５には、図４に示すような構成のボルト固定用ソケット３１を夫々嵌挿する。この嵌挿によりボルト固定用ソケット３１のフランジ部３１ａが便器３後部上面から突出することとなる。
【００２７】
次に、位置決めプレート１９を、ボルト貫通用の穴２５ａ、２７ａがフランジ部３１ａと夫々係合するよう位置決めして、図１に示したように便器３後部上面に載置する。これにより、ボルト貫通用の穴２５ａ、２７ａは、ボルト挿通孔９、１３の位置に一致した状態でフランジ部３１ａによって係止されるため、位置決めプレート１９を接着テープ等で便器３に仮止めする手間を省くことができる。
【００２８】
次に、ケーシング１７の底部外縁部とマーカ２７とが一致するよう、目視により互いの位置を確認しながら、各ボルトをボルト固定用ソケット３１に挿入し螺合する。このとき、各ボルトは、ボルト固定用ソケット３１の内周側に形成されたテーパ部３１ｂによって下方に案内されるのでソケット３１内に確実に挿入される。
【００２９】
その後、ケーシング１７をその上部からしっかり押えた状態で位置決めプレート１９を水平方向にスライドさせながら便器３後部上面とケーシング１７との隙間から引き抜くことにより、一連の取付作業は終了する。
【００３０】
位置決めプレート１９を、図３に示したようにプレート本体２１の裏面側を表にして使用する場合は、プレート本体２１は、図１に示す便器３後部上面の左側、即ち、ボルト貫通用の穴２５ａ、２７ａが夫々ボルト挿通孔１１、１５の位置に一致するよう載置されることとなる。これ以後の工程は、上記と全く同様である。
【００３１】
以上説明したように、本発明の一実施形態によれば、プレート本体２１が各ボルト挿通孔９〜１５に嵌合されたボルト固定用ソケット３１のフランジ部３１ａによって係止されるので、ケーシング１７の位置決めプレート１９上への載置に際して位置決めプレート１９が所定位置からずれる虞はないため、位置決めプレート１９を、接着テープ等によって便器３に仮止めする作業を省略できる。
【００３２】
また、ケーシング１７の底部外縁部の右上隅（即ち、１箇所）だけをマーカ２７に合せるだけでよいので、作業者に無用な負担を強いることがない。
【００３３】
更には、ケーシング１７の固定後は、位置決めプレート１９を水平方向にスライドさせながら便器３後部上面とケーシング１７との隙間から引抜くことにより、ボルト挿通孔９、１３に嵌合する２本のボルトがボルト貫通用の穴２５ａ、２７ａから溝２５ｂ、２７ｂを通過してプレート本体２１から離間することとなる。そのため、プレート本体２１の引抜きがスムーズに行え、位置決めプレート１９の一部が引き裂かれて上記隙間に残ってしまうような不具合は生じ難い。
【００３４】
なお、位置決めプレート１９を、ボルト固定用ソケット３１を用いない便器に適用する場合は、ケーシング載置時の位置ずれ防止のために接着テープ等で便器に仮止めする必要が生ずるが、その場合でも溝２５ｂ、２７ｂが有効に機能するから、プレート本体２１の引抜きは従来のものよりスムーズに行える。
【００３５】
図５は、本発明の一実施形態に係る位置決めプレートの第１変形例を示す斜視図、図６は、本発明の一実施形態に係る位置決めプレートの第２変形例を示す斜視図、図７は、本発明の一実施形態の位置決めプレートの第３変形例を示す斜視図である。
【００３６】
図５に示すように、位置決めプレート１９は、便器の付属機器類を梱包するための梱包箱３３のフラップ３５を用いることとしてもよい。
【００３７】
フラップ３５は、ミシン目３７により梱包箱３３本体から比較的容易に切離すことができ、フラップ３５に上記と同様なマーカ２４や切欠き穴２６、２８や印刷領域３４を設けることも比較的容易であるから、付属機器類の搬送後に廃棄される梱包箱３３を有効に活用できる。よって、低コスト化や省資源化の点で効果がある。
【００３８】
図６に示すように、梱包箱３３に収容される付属機器類の緩衝材（例えば、段ボール等から成る）３９を利用して位置決めプレート１９を構成した場合も、上記と同様の効果が得られる。
【００３９】
更には、図７に示すように、付属機器類や緩衝材３９と共に梱包箱３３に収容されている付属機器類の取扱説明書４１の表紙や裏表紙や各頁を利用して位置決めプレート１９を構成した場合も、上記と同様である。
【００４０】
なお、上記内容はあくまで本発明の一実施形態に係るものであって、本発明が上記内容のみに限定されることを意味するものではない。
【００４１】
【発明の効果】
以上説明したように、本発明によれば、便器に対する付属機器類の取付作業において、比較的短時間で取付けが行える作業性の良好な位置決めプレートを提供することができる。
【図面の簡単な説明】
【図１】本発明の一実施形態の位置決めプレートと、それが適用される便器及び付属機器類を示す平面図。
【図２】一実施形態の位置決めプレートの表面図。
【図３】一実施形態の位置決めプレートの裏面図。
【図４】一実施形態の位置決めプレートが適用される便器後部の部分断面図。
【図５】一実施形態の位置決めプレートの第１変形例を示す斜視図。
【図６】一実施形態の位置決めプレートの第２変形例を示す斜視図。
【図７】一実施形態の位置決めプレートの第３変形例を示す斜視図。
【符号の説明】
３  便器の後部
７  洗浄水排水口
９、１１、１３、１５  ボルトの挿通孔
１７  ケーシング
１９  位置決めプレート
２１  プレート本体
２３、２４  マーカ
２５、２６、２７、２８  切欠き穴
２５ａ、２７ａ  ボルト貫通用の穴
２５ｂ、２７ｂ  溝
３１  ボルト固定用ソケット
３３  梱包箱
３５  フラップ
３７  ミシン目
３９  緩衝材
４１  取扱説明書
【図１】
0003555125.tif 000002
【図２】
0003555125.tif 000003
【図３】
0003555125.tif 000004
【図４】
0003555125.tif 000005
【図５】
0003555125.tif 000006
【図６】
0003555125.tif 000007
【図７】
0003555125.tif 000008